(57)【要約】本発明はシェークハンド型卓球ラケットに関し、さらに詳しくは、人差し指をラケット本体の後面部に密着して支持し、グリップ部を母指と、中指、薬指及び小指で把持する。使用者はゲームの途中に両面を全て使用する場合、打球面の転換の時、手首に無理を与えないで強力な攻撃をすることができ、素人でも容易にシェークハンド型卓球ラケットの両側打球部を使用して簡単に卓球を楽しむことができる。  本発明は、ラケット本体と；上記ラケット本体の両面にそれぞれゴムが附着された二つの打球部と；上記ラケット本体の下部側に延長されるグリップ部と；上記グリップ部の外面から延長されて、グリップ部の把持の時に使用者の指が載置されて支持される突起部が含まれる。
2010536468.tif 000002
【特許請求の範囲】
【請求項１】
シェークハンド型ラケットにおいて、
ラケット本体（１０）と；
上記ラケット本体（１０）の両面にそれぞれゴムが附着された二つの打球部（１１、１２）と；
上記ラケット本体（１０）の下部側に延長されるグリップ部（１３）と；
上記グリップ部（１３）の外面から延長されて、グリップ部（１３）の把持の時に、使用者の指が載置されて支持される突起部（２０）と；がさらに含まれることを特徴とする突起部を備えたシェークハンド型卓球ラケット。
【請求項２】
上記突起部（２０）は、母指、中指、薬指及び小指の中の少なくとも一つ以上の指を支持することを特徴とする請求項１に記載の突起部を備えたシェークハンド型卓球ラケット。
【請求項３】
上記突起部（２０）は、上記グリップ部（１３）の外面に突出されて、上記グリップ部（１３）の外面に形成された少なくとも一つ以上の突起（２１）によって形成されることを特徴とする請求項１に記載の突起部を備えたシェークハンド型卓球ラケット。
【請求項４】
上記突起部（２０）は、上記グリップ部（１３）の前面、後面、左側面、右側面の中の何れか一つ以上の面に少なくとも一つ以上形成されることを特徴とする請求項１に記載の突起部を備えたシェークハンド型卓球ラケット。
【請求項５】
打球部（１１、１２）の下端部が母指と人差し指の間の手の中に密着して、ラケットの搖れるを防止することができるように、打球部（１１、１２）の下端部の密着部に揺れ防止部（７０）が形成されていることを特徴とする請求項１に記載の突起部を備えたシェークハンド型卓球ラケット。
【発明の詳細な説明】
【技術分野】
【０００１】
本発明はシェークハンド型卓球ラケットに関し、さらに詳しくは、人差し指をラケット本体の後面部に密着して支持し、グリップ部を母指と、中指、薬指及び小指で把持し、特にラケットのグリップ部に突起部をさらに備えて、攻撃の時に打球されるボールの威力が向上されるとともに、両面を全て使用するにおいて、打球面の転換の時に、手首に無理を与えないようにし、滑りと揺れが少なくて、素人も簡単にシェークハンドラケットの両側の打球部を使用して、卓球を楽しめることができる突起部を備えたシェークハンド型卓球ラケットに関する。
【０００２】
一般に、シェークハンド型卓球ラケットは、図１ａに示したように、両面にそれぞれゴム１、１が附着された両面打球部と、使用者がラケットを握ることができるグリップ部２とで構成されている。使用者は上記グリップ部２を、図１ｂに示したように、人差し指が裏面打球部を支持するようにし、母指と中指、薬指、小指が上記グリップ部２を握る形態に把持して、上記ゴム１、１が附着された両面打球部を選択的に利用して、ボールを相手側に打って卓球を楽しみ、ボールを打撃することができる打球部が両面に構成されていることによって、バックハンドストロークやフォアハンドストローク及びドロップショートストロークを容易にすることができる。
【０００３】
しかし、このように構成された従来のシェークハンド型ラケットは、ラケットを握る時、グリップ部２を軸にする幾何学的なラケットの中心軸線ａに位置したラケット打撃部の中心点ｃが手首を軸にして、前進及び後進される遠心力線ｂより上部に位置される。それによって、打球点である打撃部の中心点ｃが手首を軸にした遠心力軸線ｂより上部または下部に位置して、多様な角度に球を打撃する時、手首及び腕の変化によるゴム１の中心点に合わせる打球点の一貫性に相当な困難がある。
【０００４】
従って、ボールの打撃の時、手首または腕の高さを変化させて、ゴムの中心点に合わせた時、正確に打撃することができるため、よほど練習しなければならないので、素人には技術の習得に相当な困難がある。
【０００５】
また、従来のシェークハンド型ラケットの場合、ラケットを握るグリップ部が単純に打球部から一字状に垂直して形成されている。使用者はゲームの途中、手に汗が出たりする場合、グリップ部から手が滑るスリップ現象が発生されて、ラケットを逃してしまう問題点がある。
【０００６】
このようなグリップ部と手の滑り現象は、使用者が力強くスマッシュ動作をする時、ラケットの打球部が搖れる原因となって、スマッシュストロークがまともにできない問題点がある。
【０００７】
また、従来のシェークハンド型ラケットは、打球部の下部側に棒状のグリップ部を結合させて、単純に手で握ることができる機能のみを付与しているため、ラケットの重量の中心が打球部に集中して、上逹していない人は、手首や手先に過度に力を入れて打撃することによって、、無理に打撃をすることになり、打撃の時、遠心力によってラケットを逃してしまうことが頻繁に発生されている。
【０００８】
また、従来のシェークハンド型ラケットは、スマッシュやバックハンドスマッシュのように、飛んでくるボールの方向によって両面打球部を全て使用することができるように構成されているが、使用者がフォアハンド動作からバックハンド動作に転換したり、バックハンド動作からフォアハンド動作に転換する時、ラケットの裏面打球部に対する角度を正確に設定しなければならないので、転換の時に使用者の手首に無理を与える問題点がある。
【０００９】
また、従来のシェークハンド型ラケットは、指または手の平に当接する接点の付近に空いている空間がなくて、指または手の平の全体がグリップ部に当接されていて、汗が空気中に蒸発されることができないため、多くの攻撃及び守備のミス、及び打球の不正確性などの諸問題を引き起こす滑り現象が発生する問題がある。
【背景技術】
【００１０】
従来、２００６年９月２９日に出願された登録実用新案第４２８２３８号の卓球ラケットを詳しく説明すると、卓球ラケットの取っ手がラケット本体の縁から反対側の対角線の方向に下る形状に形成されており、ラケット本体の取っ手がラケット本体の縁で一方に偏って対角線の方向に所定の角度に傾斜して下って、ピストルの取っ手のようにラケット取っ手を握る構造になっている。卓球ラケットを握る時、手首が折れないで、打球の時、手の平や手の甲で打つように、両面を容易に自由自在に使用することができるように構成されている。
【００１１】
上記韓国登録実用新案第４２８２３８号の卓球ラケットの場合、ラケット本体の両側にそれぞれゴムが附着されていることによって、従来のシェークハンド型ラケットのように、両面打法を実現することができる。また、取っ手をピストルの取っ手のように下向き折曲して形成して、ラケットの把持をより容易にすることによって、素人も容易に両面打法を利用した卓球を楽しめることができる。
【００１２】
しかし、従来の韓国登録実用新案第４２８２３８号の場合、前述したような従来のシェークハンド型ラケットが有する問題点である、グリップ部を把持する使用者の手が滑る現象や、バックハンドからフォアハンドにストロークを転換する時、ラケットの打球部を転換させる場合、手首に無理を与える問題点や、打球部の打撃点にボールが正確に位置されないことによって発生する問題点は解決されていない実情である。
【発明の概要】
【発明が解決しようとする課題】
【００１３】
本発明は従来のシェークハンド型卓球ラケットが有する問題点を解決するために創出されたものである。本発明の代表的な実施形態では、グリップ部の外面に指が密着される突起部をさらに備えて、攻撃の時に打球されるボールの威力が向上されるとともに、指または手の平の全体がグリップ部に当接することを防止して、流れる汗が空気中に容易に蒸発するようにして、滑り現象を抑制し、両面を全て使用する場合、打球面の転換の時、突起部の摩擦作用によって、打球面が転換されるようにして、手首に無理を与えないようにする。また、母指、中指、薬指及び小指の中で少なくとも一つ以上の指が突起部を把持するようにして、手の平がグリップ部での滑りと搖れが抑制することによって、素人も容易にシェークハンドラケットの両側打球面を使用して卓球を楽しめることができるようにした突起部を備えたシェークハンド型卓球ラケットを提供することを目的とする。
【課題を解決するための手段】
【００１４】
上記目的を達するための手段で、本発明の代表的な実施形態では、突起部を備えたシェークハンド型卓球ラケットは、ラケット本体と；上記ラケット本体の両面にそれぞれゴムが附着された二つの打球部と；上記ラケット本体の下部側に延長されるグリップ部と；上記グリップ部の外面から延長されて、グリップ部の把持の時に、使用者の指が載置されて支持される突起部を含むことを特徴とする。
【００１５】
上記突起部は、母指、中指、薬指及び小指の中の少なくとも一つ以上の指を支持するように形成されることができる。
【００１６】
上記突起部は、上記グリップ部の外面に突出するが、上記グリップ部の外面に形成された少なくとも一つ以上の突起によって形成されることができる。
【００１７】
上記突起部は、上記グリップ部の前面、後面、左側面、右側面の中のいずれか一つ以上の面に少なくとも一つ以上形成されることができる。
【００１８】
上記打球部の下端部が母指と人差し指との間の手の中に密着して、ラケットの搖れを防止することができるように、打球部の下端部の密着部に揺れ防止部がさらに形成されることができる。
【発明の効果】
【００１９】
本発明の突起部を備えたシェークハンド型卓球ラケットは、ラケット本体を把持するグリップ部の外面に指が載置されて支持される突起部がさらに形成されていることによって、両面を全て使用する場合、打球面の転換の時、突起部の摩擦作用によって、バックハンドとフォアハンドと間の転換が容易に行われて、手首に無理を与えないで、また、突起部によってグリップ部の外面に母指、中指、薬指及び小指の把持が容易で、使用者の指とグリップ部が滑る現象が防止され、滑りを防止することによって、素人も容易にシェークハンド型ラケットの両面打法を利用して、卓球ゲームを楽しむことができるとともに、搖れが少なくなって、ボールの打撃による攻撃性が向上される。
【００２０】
また滑り現象が防止されるので、ラケットを握る手を目で見なくてもラケットを握る角度を感覚的に感知することが容易で、正確で早く対応して攻撃することができる。
【００２１】
また、突起部は、母指、中指、薬指及び小指の中の少なくとも一つ以上の指を支持することによって、摩擦力を発生して、少ない力で堅固にグリップを握る效果を提供して、より早くて正確にラケットを使用することができ、早いだけさらに力強い打球が可能になる效果を奏する。
【００２２】
また、突起部は少なくとも一つ以上の指が掛けられる強力な掛け金の役割も兼備して、ボールを打つ時、ラケットが抜けることができないようにして、さらに強く打球することができる。
【００２３】
また、突起部は、グリップ部の外面に突出されるが、グリップ部の外面に形成された少なくとも一つ以上の突起で構成され、形成された突起によってグリップ部のどの部分でも簡単に滑らない效果を奏する。
【００２４】
また、突起部は、グリップ部の前面、後面、左側面、右側面の中のいずれか一つ以上の面に少なくとも一つ以上形成されているので、強い力でなく、最小限の力でどの部分を握ってもその部分の突起部によって、グリップが滑る現象を顕著に低減することができて、さらに早いスナップで強く打球することができるという效果を奏する。
【００２５】
また、打球部の下端部が母指と人差し指との間の手の中に密着して、ラケットの搖れを防止することができるように、打球部の下端部の密着部に揺れ防止部が形成されて、安定されたラケットの角度を維持しやすく、滑ることがなくて、素人はもちろん熟練者も容易にフォア・バックの転換を実現して、より強くて安定した打球をすることができる。
【００２６】
また、グリップ部を握った手を通じて感じる突起部によって、滑りと搖れが少なくなって、ラケットの角度感が鋭敏で、正確に感じられるので、急なフォア・バック転換の時にも反射的に正確な角度を容易に維持することができて、打球面にボールを当てるだけで容易にボールに対応して打球することができるという效果を奏する。
【００２７】
また、突起部の突起によって、フォア側の打球はもちろん、バック側の打球を力強く打つことができて、さらに早いボールを相手に打つことによって、相手の反射時間を圧倒してさらに高い点数を獲得することができるという效果を奏する。
【００２８】
また、突起部の突起によって、カットの時にも、さらに多い回転ボールを相手に打つことによって、相手がボールの回転を容易に処理することができないようにして、さらに高い点数を獲得することができるという效果を奏する。
【００２９】
また、突起部の突起によって、指が突起に掛けられてフォア側の打球及びバック側の打球の時、グリップ部を握る時、指を少しだけ動かして回してもグリップ部の前面と側面の中間角度で打球部がそれるように握ることが容易で、打球の時、球を打ちたいそれた角度の方向に搖れることなく円滑で自由に打つことができるという效果を奏する。
【００３０】
また、グリップ部の外面に突起部が備えられていることによって、早くて迅速に打球部が変化される。そのため、打球部の変化が使用者の手首のスナップ動作だけでなく、同時に突起部の摩擦力を利用した動作によって行われて、全く力を入れないで楽に打球することができるという效果を奏する。
【００３１】
また、グリップ部の外面に突起部が備えらていることによって、突起部の摩擦力を利用して、グリップ部を軽く握って、力を入れないで打撃することによって、グリップ部を強く握って打つ時、使用者の腕と手首に発生する筋肉疲労、筋肉硬直等の現象が防止される。
【００３２】
また、突起部の角が指または手の平に圧点で作用して、神経を刺激して活性度を高める指圧效果を提供するとともに、さらに搖れることなく、堅固なグリップ状態を維持する。
【００３３】
また、グリップ部の外面に備えられた突起部は、突起部の角が指または手の平に当接する接点の付近に空いている空間を提供して、その空間に空気が循環流通されて、手で流れる汗が容易に空気中に蒸発され、これによって、汗による滑り現象が発生しない。指または手の平の全体がグリップ部に完全に密着されることを防止して、滑る現象がほとんど発生しなくなる。
【図面の簡単な説明】
【００３４】
【図１ａ】従来のシェークハンドラケットを示した斜視図。
【図１ｂ】従来のシェークハンドラケットのグリップ部を把持した状態を示した概念図。
【図２】本発明の突起部を備えたシェークハンド型卓球ラケットの一実施形態を示した斜視図。
【図３ａ】本発明の突起部を備えたシェークハンド型卓球ラケットのグリップ部の構造を示した概念図。
【図３ｂ】本発明の突起部を備えたシェークハンド型卓球ラケットのグリップ部の構造を示した概念図。
【図４】本発明の突起部を備えたシェークハンド型卓球ラケットを把持した状態を示した構成図。
【図５】本発明の突起部を備えたシェークハンド型卓球ラケットの他の実施形態を示した参照図。
【図６】本発明の突起部を備えたシェークハンド型卓球ラケットの他の実施形態を示した参照図。
【図７】本発明の突起部を備えたシェークハンド型卓球ラケットの他の実施形態を示した参照図。
【図８】本発明の突起部を備えたシェークハンド型卓球ラケットの他の実施形態を示した参照図。
【図９】本発明の突起部を備えたシェークハンド型卓球ラケットの他の実施形態を示した参照図。
【図１０】本発明の突起部を備えたシェークハンド型卓球ラケットの他の実施形態を示した参照図。
【図１１】本発明の突起部を備えたシェークハンド型卓球ラケットの他の実施形態を示した参照図。
【図１２】本発明の突起部を備えたシェークハンド型卓球ラケットの他の実施形態を示した参照図。
【図１３】本発明の突起部を備えたシェークハンド型卓球ラケットの他の実施形態を示した参照図。
【図１４】本発明の突起部を備えたシェークハンド型卓球ラケットの他の実施形態を示した参照図。
【図１５】本発明の突起部を備えたシェークハンド型卓球ラケットの他の実施形態を示した参照図。
【図１６】本発明の突起部を備えたシェークハンド型卓球ラケットの他の実施形態を示した参照図。
【図１７】本発明の突起部を備えたシェークハンド型卓球ラケットの他の実施形態を示した参照図。
【図１８】本発明の突起部を備えたシェークハンド型卓球ラケットの他の実施形態を示した参照図。
【図１９】本発明の突起部を備えたシェークハンド型卓球ラケットの他の実施形態を示した参照図。
【発明を実施するための最良の形態】
【００３５】
本発明の特徴及び利点は添付図面に基づく以下の詳細な説明によってさらに明確になる。本明細書及び請求の範囲に用いられる用語や単語は、発明者が自分の発明を最も最善の方法で説明するために、用語の概念を適切に定義することができるという原則に即して、本発明の技術思想に符合する意味と概念に解釈すべきである。
【００３６】
図２は本発明の突起部を備えたシェークハンド型卓球ラケットの一実施形態を示した斜視図であり、図３ａ及び図３ｂは本発明の突起部を備えたシェークハンド型卓球ラケットのグリップ部の構造を示した概念図であり、図４は本発明の突起部を備えたシェークハンド型卓球ラケットを把持した状態を示した構成図であり、図５乃至図１９は本発明の突起部を備えたシェークハンド型卓球ラケットの他の実施形態を示した参照図である。
【００３７】
図示したように、本発明の突起部を備えたシェークハンド型卓球ラケットは、ラケット本体１０と、上記ラケット本体１０の両面にそれぞれゴムが附着された二つの打球部１１、１２と、上記ラケット本体１０の下部側に延長されるグリップ部１３と、上記グリップ部１３の外面から延長されて、グリップ部１３の把持の時に、使用者の母指ｈ１が側面に載置されて支持される突起部２０とで構成される。
【００３８】
上記突起部２０は、上記グリップ部１３の外面に対して、外部側に陽角に突設される。
【００３９】
従って、上記突起部２０は、グリップ部１３の外面に対して陽角に形成され、上記突起部２０を除いたグリップ部１３の外面は、自然に陰角に凹入して形成される。
【００４０】
これによって、上記突起部２０の陽角とグリップ部１３の陰角によって、使用者がグリップ部１３を把持する場合、陽角の突起部２０と陰角のグリップ部１３に手の平の面が密着されて、グリップ部１３を把持する手の把持力を感じて、飛んで来るボールの打球の時に、ボールの反発力を降下することができて、ボールの攻撃性が向上される。
【００４１】
同時に、陽角の突起部２０と陰角のグリップ部１３との面によって、使用者の指が載置されて支持されることによって、指の把持がさらに堅固になり、これによってボールの打球の時、グリップ部が使用者の手から滑って搖れる現象が防止されて、精巧な打球ができる。
【００４２】
また、上記グリップ部１３の外面に突起部２０がさらに備えられているので、早くて迅速に打球部が変化し、打球部の変化が使用者の手首スナップ動作だけでなく、同時に突起部２０の摩擦力を利用した動作によって発生して、全く力を入れないで楽に打球することができる。
【００４３】
また、上記グリップ部１３の外面に突起部２０がさらに備えられているので、突起部２０の摩擦力を利用した動作によって行われ、グリップ部１３を軽く力を入れないで打つことによって、グリップ部１３を強く握って打つ時、使用者の腕と手首に発生する筋肉疲労、筋肉硬直等の現象が防止される。
【００４４】
また、上記グリップ部１３の外面に形成された突起部２０の側面に使用者の母指ｈ１を密着させた後、母指ｈ１を利用して突起部２０の側面を押すと、自然にグリップ部１３が回転し、これによって、ラケット本体１０が回転されながら、打球部が転換されることができることによって、打球部の転換動作が早くて速かに行われる。
【００４５】
従って、バックハンドからフォアハンドへのストロークの転換の時に、素人も容易に打球部を転換して、攻撃することができることによって、シェークハンド型卓球ラケットを利用した卓球ゲームに興味を誘発することができる。
【００４６】
また、上記突起部２０は、上記グリップ部１３の長手方向に延長されるが、グリップ部１３の外面から少なくとも一つ以上突出されることができるもので、一つ以上の突起部２０が突設されていることによって、グリップ部の把持力が向上されて、打球部の転換動作が早くて速かに行われる。
【００４７】
また、上記突起部２０は、上記グリップ部１３の外面に突出されるが、上記グリップ部１３の外面に形成された少なくとも一つ以上の突起２１によって形成されたり、上記突起部２０は、上記グリップ部１３の外面に突出されるが、上記グリップ部１３の外面から螺旋状に形成された少なくとも一つ以上の突起２１で形成されることができる。
【００４８】
また、上記突起部２０は、上記グリップ部１３の前面、後面、左側面、右側面の中の少なくともいずれか一つ以上の面に少なくとも一つ以上形成されることができる。
【００４９】
また、上記突起部２０は、母指、中指、薬指及び小指の中の少なくとも一つ以上の指を支持する役割または摩擦力を発生する役割または指が掛けられる掛け金の役割を果たすことによって、上記グリップ部１３と手の平が滑る現象及び揺れ現象を防止する役割を果たす。
【００５０】
また、本発明の他の実施形態として、上記突起部２０は、母指、人差し指、中指、薬指及び小指の中の少なくとも一つ以上の指を支持する役割または摩擦力を発生する役割または指が掛けられる掛け金の役割を果たすことによって、上記グリップ部１３と手の平が滑る現象及び揺れ現象を防止する役割を果たす。
【００５１】
また、本発明の突起部を備えたシェークハンド型卓球ラケットは、上記グリップ部１３の外面から延長して突出される少なくとも一つ以上の突起２１を利用して、搖れることなく、力強い打球をすることができ、フォア・バック転換の時に、円滑にラケットを扱うことができて、正確な打球をすることができる役割を果たす。
【００５２】
また、上記グリップ部１３は、左右、前後が対称する形態に形成して、右利き及び左利きが同時に前後に回転しながら使用することができる。
【００５３】
また、打球部１１、１２の下端部が母指と人差し指との間の手の中に密着してラケットの搖れを防止するように、打球部１１、１２の下端部の密着部に揺れ防止部７０がさらに形成されるので、さらに堅固にラケットの搖れを防止して、ラケットと手の一体感が感じられる。
【００５４】
また、上記突起部２０の上記突起２１によって、指が突起２１に掛けられて、フォア側の打球及びバック側の打球の時、上記グリップ部１３を把持する時、指を少しだけ動かして回しても、上記グリップ部２０の前面と側面の中間角度に打球部１１、１２がそれるように把持することが容易で、打球の時、ボールを打ちたい角度の方向に円滑で自由に打つことができる。
【００５５】
また、突起部２０の尖っている角が指または手の平に圧点で作用して神経を刺激して、活性度を高める指圧效果を提供するとともに、さらに搖れることなく堅固なグリップ状態を維持する。
【００５６】
また、グリップ部１３の外面に備えられた突起部２０は、突起部２０の尖っている角が指または手の平に当接する接点の付近に空いている空間を提供して、その空間に空気が流通して手で流れる汗が容易に空気中に蒸発され、これにより汗による滑り現象が発生しないで、指または手の平の全体がグリップ部１３に完全に密着されることを防止して、滑り現象がほとんど発生しなくなる。
【００５７】
このように、グリップ部１３の外面に形成される突起部２０の形状は、多様な形状に形成することができ、図示していないが、一例として、十二支中、使用者の生まれた年を象徴する動物の形象にも形成することができるが、動物の形象に形成される場合、動物の形象が有する陽角及び陰角によって突起部の效果を得ることができる。
【００５８】
本発明の突起部を備えたシェークハンド型卓球ラケットは、多様に変形実施が可能であり、本発明の目的範囲を逸脱しない限り、変形される実施形態は全て本発明の請求の範囲に属するものと解釈すべきである。
【符号の説明】
【００５９】
１０：ラケット本体    
１１、１２：打球部
１３：グリップ部      
２０：突起部
２１：突起  
２２：櫛歯突起
７０：揺れ防止部

【図１ａ】
2010536468.tif 000003
【図１ｂ】
2010536468.tif 000004
【図２】
2010536468.tif 000005
【図３ａ】
2010536468.tif 000006
【図３ｂ】
2010536468.tif 000007
【図４】
2010536468.tif 000008
【図５】
2010536468.tif 000009
【図６】
2010536468.tif 000010
【図７】
2010536468.tif 000011
【図８】
2010536468.tif 000012
【図９】
2010536468.tif 000013
【図１０】
2010536468.tif 000014
【図１１】
2010536468.tif 000015
【図１２】
2010536468.tif 000016
【図１３】
2010536468.tif 000017
【図１４】
2010536468.tif 000018
【図１５】
2010536468.tif 000019
【図１６】
2010536468.tif 000020
【図１７】
2010536468.tif 000021
【図１８】
2010536468.tif 000022
【図１９】
2010536468.tif 000023
【国際調査報告】
2010536468.tif 000024
2010536468.tif 000025